(57)【要約】【課題】余興に使用できるとともに、人的な関係のあるグループにメッセージを伝えて感動や驚きを与えることができ、また、グループの各々にメッセージが同時に伝わることで、グループに感動や驚きを共有させることのできる席札セットを提供する。【解決手段】本発明の席札セットＳ１は、席札Ｋ１〜Ｋ６からなる。席札Ｋ１〜Ｋ６には、それぞれ、一の出席者の名前と、一の出席者を含むグループに対するメッセージの一部とが示されており、席札Ｋ１〜Ｋ６を組み合せることで、メッセージが完成する。また、席札Ｋ１〜Ｋ６のうち、一の席札Ｋには凹部Ｐが形成され、二の席札Ｋには、凹部Ｐと係合可能な凸部Ｑが形成されており、一の席札Ｋの凹部Ｐと、二の席札Ｋの凸部Ｑとが係合するように、席札Ｋ１〜Ｋ６が組み合わされたときに、メッセージが完成する。【選択図】図１
2015014767.tif 000002
【特許請求の範囲】
【請求項１】
複数の席札からなる席札セットであって、
前記複数の席札には、それぞれ、一の出席者の名前と、該一の出席者を含むグループに対するメッセージの一部とが示されており、
前記複数の席札を組み合せることで、前記メッセージが完成する席札セット。
【請求項２】
前記複数の席札のうち、一の前記席札には凹部が形成され、二の前記席札には、前記凹部と係合可能な凸部が形成されており、
前記一の席札の凹部と、前記二の席札の凸部とが係合するように、前記複数の席札が組み合わされたときに、前記メッセージが完成することを特徴とする請求項１に記載の席札セット。
【発明の詳細な説明】
【技術分野】
【０００１】  本発明は、結婚披露宴等の会合において、出席者の着席位置を示す複数の席札を含む席札セットに関する。
【背景技術】
【０００２】  結婚披露宴等の宴会では、出席者が自分の席を見つけやすくするために、出席者の名前が書かれた席札がテーブルに置かれている（例えば特許文献１）。
【先行技術文献】
【特許文献】
【０００３】
【特許文献１】登録実用新案第３０００４０９号公報
【発明の概要】
【発明が解決しようとする課題】
【０００４】  しかしながら、従来の席札は、出席者の着席位置を示すものに過ぎず、装飾を施すなど工夫を凝らしたものもあるものの、余興に使用されるものではなかった。【０００５】  また、結婚披露宴では、新郎新婦の親族や同僚など、何らか人的関係のあるグループが同じテーブルの席に座るように、配席されることが多い。【０００６】  本発明は上記の点に鑑みて成されたものであり、その目的は、複数の席札からなる席札セットであって、余興に使用できるとともに、人的な関係のあるグループにメッセージを伝えて感動や驚きを与えることができ、また、グループの各々にメッセージが同時に伝わることで、グループに感動や驚きを共有させることのできる席札セットを提供することである。
【課題を解決するための手段】
【０００７】  本発明に係る席札セットは、複数の席札からなる席札セットであって、前記複数の席札には、それぞれ、一の出席者の名前と、該一の出席者を含むグループに対するメッセージの一部とが示されており、前記複数の席札を組み合せることで、前記メッセージが完成する。【０００８】  好ましくは、前記複数の席札のうち、一の前記席札には凹部が形成され、二の前記席札には、前記凹部と係合可能な凸部が形成されており、前記一の席札の凹部と、前記二の席札の凸部とが係合するように、前記複数の席札が組み合わされたときに、前記メッセージが完成する。
【発明の効果】
【０００９】  本発明の席札セットは、複数の席札を組み合わせてメッセージを完成させる楽しさを与えるものであるため、余興に使用できる。【００１０】  また、席札セットに含まれる複数の席札を組み合わせることで、グループに対するメッセージが完成する。したがって、そのグループが席札を組み合わせてメッセージを完成させることで、グループにメッセージが伝わり、感動や驚きを与えることができる。また、メッセージが完成した際には、グループの各々がそのメッセージを同時に確認する。したがって、感動や驚きをグループに共有させることができる。
【図面の簡単な説明】
【００１１】
【図１】本発明の席札セットの一例を示す写真である。
【図２】本発明の席札セットの一例を示す写真である。
【図３】本発明の席札セットが使用される披露宴会場を示す図である。
【図４】図１に示す席札セットを形成するために使用される紙材を示す写真である。
【図５】図２に示す席札セットを形成するために使用される紙材を示す写真である。
【発明を実施するための形態】
【００１２】  以下、本発明の実施形態に係る席札セットを、図を参照して説明する。図１，図２は、本実施形態に係る席札セットＳの一例を示す。図１に示す席札セットＳ１は、席札Ｋ１〜Ｋ６からなる。図２に示す席札セットＳ２は、席札Ｋ７〜Ｋ１３からなる。
【００１３】  図３は、本実施形態に係る席札セットＳが使用される披露宴会場を示す。披露宴会場には複数のテーブルＴが設置される。一つのテーブルＴには何らか人的関係のある出席者のグループが着席するようになっており、テーブルＴの各々に席札セットＳが置かれる。
【００１４】  図３に示すテーブルＴのうち、テーブルＴ１は、新婦の家族が着席するために準備されたものである。テーブルＴ１には、席札セットＳ１の席札Ｋ１〜Ｋ６が置かれる。
【００１５】  また、テーブルＴ２は、新郎の同僚が着席するために準備されたものである。テーブルＴ２には、席札セットＳ２の席札Ｋ７〜Ｋ１４が置かれる。
【００１６】  席札セットＳ１の席札Ｋ１〜Ｋ６は、図４に示す紙材Ｔ１を分割したものである。紙材Ｔ１には、新婦の家族の名前と、新婦の家族に対するメッセージ「感謝」とが印刷されている。メッセージ「感謝」は、家族が育ててくれたことに対する新婦の感謝の気持ちを家族に伝えるために印刷されたものである。
【００１７】  席札セットＳ２の席札Ｋ７〜Ｋ１４は、図５に示す紙材Ｔ２を分割したものである。紙材Ｔ２には、新郎の同僚の名前と、新郎の同僚に対するメッセージ「絆」とが、印刷されている。メッセージ「絆」は、同僚との絆を新郎が大切に思っていることを同僚に伝えるために印刷されたものである。
【００１８】  紙材Ｔの分割は、名前の非記載箇所を通過する縦横の切断線Ｍ，Ｎに沿って、紙材Ｔを切断することで行われる。紙材Ｔを分割して得られる複数の席札Ｋ（席札セットに含まれる複数の席札Ｋ）は、それぞれ略矩形状を呈しており、これら複数の席札Ｋには、それぞれ、一の出席物の名前と、一の出席者を含むグループに対するメッセージの一部とが示されている。
【００１９】  例えば、紙材Ｔ１の分割片である席札Ｋ１〜Ｋ６には、それぞれ、新婦の家族の一人の名前と、新婦の家族に対するメッセージである「感謝」の一部が示されている。
【００２０】  また、紙材Ｔ２の分割片である席札Ｋ７〜Ｋ１４には、それぞれ、新郎の同僚の一人の名前と、新郎の同僚に対するメッセージである「絆」の一部が示されている。
【００２１】  また、席札Ｋ１〜Ｋ６や席札Ｋ７〜Ｋ１３は、出席物の名前やメッセージの一部が示される一方面が表になるように、二つ折りにされて、テーブルＴ１，Ｔ２に置かれる。
【００２２】  また、席札セットＳに含まれる複数の席札Ｋのうち、一の席札Ｋには凹部Ｐが形成され、二の席札Ｋには、凹部Ｐと係合可能な凸部Ｑが形成されている。凹部Ｐや凸部Ｑは、湾曲部Ｗのある切断線Ｍ，Ｎに沿って紙材Ｔが切断されたことで形成されたものであり、一の席札Ｋの凹部Ｐと、二の席札Ｋの凸部Ｑとが係合するように、複数の席札Ｋが組み合わされたときに、メッセージが完成する。
【００２３】  図３に示す披露宴会場に出席者が入場する際には、出席者は、席札Ｋに示される名前を確認することで、自身の席を把握して着席する。
【００２４】  そして、披露宴会場に出席者が入場した後では、披露宴の余興として、各テーブルＴに置かれた複数の席札Ｋ（すなわち席札セットＳに含まれる複数の席札Ｋ）を組み合わせることが促される。これにより、各出席者は、自身に準備された席札Ｋを真直ぐ伸ばし平らにして、同じテーブルＴに座る他の出席者の席札Ｋと組み合わせる。この間、出席者は、同じテーブルＴに座る他の出席者と談笑しながら、様々な組み合わせを試みる。そして、テーブルＴに置かれた複数の席札Ｋが、紙材分割時の並びで組み合わせられたときに、テーブルＴに座るグループに対するメッセージが完成する。
【００２５】  テーブルＴ１では、新婦の家族が席札Ｋ１〜Ｋ６（図１）を組み合わせる。そして、図４に示す並び方で、席札Ｋ１〜Ｋ６が組み合わされたときに「感謝」のメッセージが完成して、この「感謝」を新婦の家族が同時に確認する。
【００２６】  テーブルＴ２では、新郎の同僚が席札Ｋ７〜Ｋ１４（図２）を組み合わせる。そして、図５に示す並び方で、席札Ｋ７〜Ｋ１４が組み合わされたときに「絆」のメッセージが完成して、この「絆」を新郎の同僚が同時に確認する。
【００２７】  以上説明したように、本発明の席札セットＳは、複数の席札Ｋを組み合わせてメッセージを完成させる楽しさを与えるものである。このため、本発明の席札セットＳは、余興に使用できる。
【００２８】  また、席札セットＳに含まれる複数の席札Ｋを組み合わせることで、グループに対するメッセージが完成する。したがって、そのグループが席札Ｋを組み合わせてメッセージを完成させることで、グループにメッセージが伝わり、グループに感動や驚きを与えることができる。また、メッセージが完成した際には、グループの各々がそのメッセージを同時に確認する。したがって、グループに感動や驚きを共有させることができる。
【００２９】  また、一の席札Ｋの凹部Ｐと、二の席札Ｋの凸部Ｑとが係合するように、席札Ｋが組み合わされたときに、メッセージが完成する。したがって、凹部Ｐや凸部Ｑは、席札Ｋを組み合わせるヒントになる。
【００３０】  なお、本発明は、上述の実施形態に限定されず、種々変更することができる。
【００３１】  例えば、上記の実施例では、席札セットＳ１、Ｓ２に、６枚の席札Ｋ１〜Ｋ６や、８枚のＫ７〜Ｋ１４が含まれる例を示したが、席札セットＳに含まれる席札Ｋの数は任意に設定できる。
【００３２】  また、凹部Ｐや凸部Ｑを席札Ｋに形成せず、席札Ｋの辺を真っ直ぐ延びるものとしてよい。
【００３３】  また、上記実施形態では、席札Ｋが略矩形状を呈する例を示したが、席札Ｋは三角形や五角形など、他の席札Ｋと組み合わせ可能な任意の形状に形成できる。
【００３４】  また、席札セットＳに含まれる一の席札Ｋと二の席札Ｋとは、形状が異なるものであってよい。
【００３５】  また、上記実施例では、席札Ｋの一方面に、出席の名前やメッセージの一部が示される例を示したが、席札Ｋの一方面に出席者の名前を示し、席札Ｋの他方面にメッセージの一部を示すようにしてもよい。この場合、席札Ｋは一方面を表にしてテーブルに置かれる。このようにすることで、一方面に記載される名前については出席者に確認可能とし、他方面に記載されるメッセージについては出席者に気づかれないよう隠すことができる。これにより、アナウンス等で出席者に他方面を見るよう促したときに、出席者にメッセージの存在を気づかせ、出席者に驚きを与えることができる。
【００３６】  また、席札Ｋは、二つ折り以外の方法で折られて、テーブルに置かれてもよい。或いは、席札Ｋは、平らな状態でテーブルに置かれてもよい。
【００３７】  また、上記実施形態では、席札Ｋを紙材から形成する場合を示したが、席札Ｋは、プラスチックや金属やガラスや木材等から形成されるものであってもよい。
【００３８】  また、上記実施形態では、席札Ｋに文字の一部（「感謝」や「絆」の一部）が示される例を示したが、席札Ｋには、写真等の画像の一部が示されてもよい。例えば、グループと共に行った旅行先の写真の一部を席札Ｋに示しておくことで、そのグループが席札Ｋを組み合わせて写真を完成させた際に、旅行先での出来事をグループに思い出させ、グループに懐かしさを感じさせることができる。
【００３９】  また，本発明の席札セットは、結婚披露宴に限らず、同窓会など、何らか人的関係のあるグループが同じテーブルに座る様々な会合に使用できる。
【符号の説明】
【００４０】  Ｓ１，Ｓ２  席札セット
Ｋ１，Ｋ２，Ｋ３，Ｋ４，Ｋ５，Ｋ６，Ｋ７，Ｋ８，Ｋ９，Ｋ１０，Ｋ１１，Ｋ１２，Ｋ１３，Ｋ１４  席札
Ｐ  凹部
Ｑ  凸部
【図１】
2015014767.tif 000003
【図２】
2015014767.tif 000004
【図３】
2015014767.tif 000005
【図４】
2015014767.tif 000006
【図５】
2015014767.tif 000007